(57)【特許請求の範囲】
【請求項１】
ウキ本体下部にはウキ止め機能を持たせるため、それぞれ特徴ある次の３室を設ける。垂直検出部であるＡ室１の下部は中心部に向い緩やかな窪みの形状とし、その中心部より傾き検出部であるＢ室２の方向へ球体４が移動できる通路６を設ける。Ｂ室２下部は片方向へ傾きを持たせた形状とし、その頂部より固定部であるＣ室３の方向へ同じく球体の通路８を設ける。Ｃ室３下部は円錐状の空間とし、その空間にウキ側面から下部へと通ずる道糸用の貫通孔１０−１１を設ける。またＣ室３、Ｂ室２の上部はそれぞれの入口側通路に向かう傾きを持たせた形状とする。これら３室で構成した空間内に球体４を内蔵させる。
以上のように構成し、任意の位置で道糸を固定できるようにした釣り用のウキ。
【請求項２】
通路６、８を球体移動に方向性を持たせるためＢ室２、Ｃ室３内にパイプ状に突起させて構成するとともに、Ｃ室３上部から直接Ａ室１内へと向かう通路１６も同様にパイプ状に設けたことを特徴とする請求項１に記載の釣り用のウキ。
【請求項３】
Ａ室１、Ｂ室２を見かけ上同一の空間とし、通路６を省き２室にて構成したことを特徴とする請求項１に記載の釣り用のウキ。
【請求項４】
請求項１に記載の釣り用のウキにおいて道糸とウキがするのを防止するため道糸貫通孔１０とは反対側に切込み１７を設け、道糸に一定以上の張力が加わった時スプリング状に可動する突起１８を介し道糸が開放されるよう機能を付加し構成したウキ。
【発明の詳細な説明】
【技術分野】
【０００１】  この考案は、道糸とは遊動関係にある自立型のウキを任意の位置に固定できるよう構成したウキの構造に関するものである。
【背景技術】
【０００２】  釣人の意志により任意の位置でウキを道糸に固定させる方法と、それを実現するウキ或いはウキ止めは従来には見当たらない。【０００３】  従来のウキを用いた仕掛けの仕組みについて分類すると次のように大別することができる。【０００４】（１）固定仕掛け
予め対象魚の就餌目的の泳層であるタナの深さを想定し、道糸の該当部分にウキ止めチューブを用いる等、何らかの方法でウキを直接道糸に固定させる。この場合、ウキの固定箇所を直接変更しない限りタナの変更はできない。【０００５】（２）移動仕掛け
予め道糸の該当部分に糸、或いはゴム状のウキ止めを取付け、仕掛けの自重で沈下していく道糸をウキ止めの位置で留め固定させる。この場合においても上記（１）同様直接ウキ止めの位置を変更しない限りタナの変更はできない。【０００６】（３）遊動仕掛け
道糸とは固定せず、ウキ内部を通過する道糸の摩擦抵抗によって半固定に近い状態を保たせる。【０００７】  以上のとおりウキと道糸の関係については上記の３パターンに整理することができるが、任意の位置に固定させるような技術は従来には見当たらない。
【発明の概要】
【発明が解決しようとする課題】
【０００８】  ウキ釣りにおいて最大の釣果を得るには水温、濁り、潮汐、時間帯等の条件により様々に変化する対象魚の泳層を逸早く探りあて、適切なタナ位置へと仕掛けを送込む事が重要である。この適切な泳層に相当するタナ設定には完全遊動方式以外は調整の都度仕掛を手元に回収しウキの固定位置を調節することとなるが、その際には竿を一旦手放し、ウキ止め部位の調整を行うのが一般的である。この場合、タナ位置が深くなるにつれウキ下相当の道糸部は長くなるため周囲の障害物や竿のガイド等に糸が絡むというトラブルが発生し易くなる。また風が伴う場合は更にその頻度は高くなる。【０００９】  一般的に釣人はこのタナ調整のための手間とライントラブルの手直しには相当な煩わしさを感じているものであるが、この煩わしさはウキ釣りにおいて最も重要な「最適なタナ位置へと素早く仕掛けを送込む」という行為の妨げ要因となっており、最良の釣果が得られていないという結果にも繋がっている。【００１０】  これらタナ調整に関わる煩わしさを解消するため、任意のタナ位置に簡単に設定できるウキを考案することを課題とした。【００１１】  この課題とする煩わしさ解消手段としての「任意の位置にタナを設定」する方法については過去においても幾多かの試みがなされたものと判断するが、遠隔で制御するにあたっては物理的な接続の有無により次の二つのパターンの方法があったものと推測する。一つは物理接続の伴わない無線、赤外線、音波等を用いたリモート方式であり、二つ目は道糸に意図的な張力変化を与えることでウキ側にて変化を検出しストッパーを作動させるという道糸操作での制御方式である。【００１２】  従来において無線に代表されるリモート制御方式が実現しなかった理由としては、情報の送受信とストッパー駆動の構成に相応のコストが必要であり、実釣時に発生する破損、根掛かりによる道糸の高切れ、浸水等による消耗を考慮すると一般の釣りへの応用にはコスト的に無理があり実用向きではなかったものと判断する。【００１３】  他方の道糸操作による制御方式が現在においても実現していない理由としては次に掲げる課題を解決しなければならなかったという理由が考えられる。道糸操作方式としてごく一般的に考えられる構成には、バネ類、硬質線材、磁石等の素材が持つ特有の反発力や吸引力を利用した機械的なストッパーをウキに取付け道糸操作により固定させるという方法があるが、実際にはフィールドにおいて自然に発生している波風による張力変化と意図的な操作による張力変化を識別検出しストッパーを作動させなければならないという精巧な仕組みの考案が必要であり、また仕掛け投入時に強烈に作用する遠心力での誤作動を防止しなければならないという課題を同時に解決しなければならなかった。更に、このバネ類に代表される機械的な手法によるものは、実際のフィールドで試用すると竿の弾力、道糸の水中抵抗、伸び、弛みが道糸張力の急激な変化を緩衝してしまうため目的であるストッパー駆動の前にウキが傾いてしまい期待どおり固定できないという別の課題もあった。この不要な傾きはウキ感度の高いスリムな形状となるほど顕著に現れるが、道糸の張力方向とウキの傾き角度は常に一定とはならないためストッパー駆動のために必要な張力量の設定は極めて難しく、機械的なストッパー構造による方式の実現を更に困難なものとしていた。【００１４】  これらの理由から無線等によるリモートコントロール方式、あるいはバネ類で構成したストッパーでの道糸操作での制御方式は共に実現が困難であり「任意の位置に固定できるウキ」は現在においても実現しなかったものと推測している。本発明は、道糸を意図的に操作すると結果としてウキは傾いてしまうという事実をヒントに、欠点であった傾きを逆に道糸固定のための駆動源へと応用させ課題の解決を図ったものであり、大きな特徴とするところである。
【課題を解決するための手段】
【００１５】  一般的なウキ釣りの場面で、釣人の動作と仕掛け操作について動きを観察すると「仕掛け点検」「餌の針掛け」「仕掛けの投入」「着水」「待ち」「仕掛け回収」という基本的な動作、操作の繰返しとなっていることが分かる。【００１６】  これら一連の操作の過程で更にウキ自体の傾きに着目し観察すると「仕掛け点検から投入までの間にウキ自体が直立状態を保つことはない」「着水すると自立型のウキであればやがて水面上で直立状態となる」「直立した状態で竿先を手前に引くと道糸に引かれたウキは水の抵抗を受け反対方向に傾く」となることが分かる。【００１７】  この「直立することはない」「直立する」「一方に傾く」という３様の傾きの不変性に着目し、ウキ内部には傾きに応じて球体が移動できる構造の空間を設け一方向に傾いた時円錐状の空間に球体が落下し道糸を捉え、結果ウキを固定させることとした。これにより、仕掛け投入後任意の位置で竿先を引けば任意のタナにウキを固定することができる。【００１８】  本課題解決の具体的手段としてのウキの構成例を以下に示す。【００１９】  第一の解決手段は「請求項１」に示すとおり以下のように構成する。【００２０】  ウキ本体下部にはウキ止め機能を持たせるため、それぞれ特徴ある次の３室を設ける。Ａ室１（垂直検出部）下部は中心部に向い緩やかな窪みの形状とし、その中心部よりＢ室２（傾き検出部）方向へ球体４が移動できる通路６を設ける。Ｂ室２下部は片方向へ傾きを持たせた形状とし、その頂部よりＣ室３（固定部）方向へ同じく球体の通路８を設ける。Ｃ室３下部は円錐状の空間とし、その空間にはウキ側面から下部へと通ずる道糸用の貫通孔１０−１１が設けてある。またＣ室３、Ｂ室２の上部はそれぞれの入口側通路口に向かう傾きを持たせた形状とする。これら３室で構成した空間内に１個の球体４を内蔵させる。【００２１】  この構成による作用は次のとおりである。すなわち釣人が仕掛けを準備し、投入するまでの間にウキ自体が直立状態を保つことは無く、Ａ室にセットされた球体はＢ室に移動することはできない。次に水面上に投入されたウキはほぼ直立することから中央部窪みに球体が導かれＢ室へと移動する。この間道糸は仕掛けの自重により沈下を続けているが釣人のカウントダウン或いはカウントアップ等の方法で意図するタナに到達したと判断した時、竿先を操作するとウキは反対方向へと傾く。この時Ｂ室にあった球体は通路８方向へ移動しＣ室へと落下する。Ｃ室は円錐状の空間であり道糸が通されていることから球体が道糸を捕捉しその沈下を停止させる。以上により任意のタナでウキを固定することができる。【００２２】  第二の解決手段は「請求項２」に示すとおり以下のように構成する。【００２３】  前記第一の解決手段の構成に示す通路６、８をＢ室２、Ｃ室３内へとパイプ状に突起させて構成する。またＣ室３上部から直接Ａ室１内へと向かう通路１６も同様にパイプ状に設ける。【００２４】  この構成による作用は第一の解決手段の作用に同じである。【００２５】  第三の解決手段は「請求項３」に示すとおり以下のように構成する。【００２６】  前記構成例におけるＡ室１、Ｂ室２を見かけ上同一の空間とし、通路６を省き２室にて構成する。【００２７】  この構成での作用は基本的に前記構成例に同じであるが、構成簡略化のため垂直検出部と傾き検出部を同一空間としたものであり、動作精度を厳しく要求しない場合に用いる。【００２８】  これらの構成において更に道糸とウキが固着するのを防止するため「請求項４」に示すとおり以下の構成を付加してもよい。【００２９】  道糸貫通孔１０とは反対側に切込み１７を設け、道糸に一定以上の張力が加わった時スプリング状に可動する突起１８を介し道糸が開放されるよう構成する。【００３０】  またこの考案の実用に向けては汎用性を持たせるため、ウキ止め部位をウキ本体とは分離し、形状、浮力の異なるウキ部と脱着交換できるよう構成してもよい。
【発明の効果】
【００３１】  本考案のウキは任意のタナ位置に容易に固定することができるため、従来のウキ止め調整に要する手間やトラブルが省け、手返しの速さを著しく改善することができる。【００３２】  またウキ固定には球体を利用しているためタナを浅くする逆方向にはある程度の自在性があり、一回の仕掛け投入で深いタナから浅いタナへと順次探ることも可能である。【００３３】  この手返しの速さと迅速なタナ調整は対象魚との接近のチャンスを飛躍的に高め、従来の釣法以上の釣果を期待することができる。更に、仕掛けが底に到達した時のウキ浮力、道糸の変化をとらえそのタナ位置周辺に固定させれば底物の遊泳層をもウキで探ることができるようになる。具体的には従来投げ釣りで狙っていたカレイ・キス等が本仕掛けによりウキで釣ることが可能となる。しかも投げ釣りにおいては仕掛けを手前に引寄せる、又は投点の方向を変える等、対象となるポイントは常に釣人を中心とした扇状であったが、本考案の仕掛けでは釣人の位置とは係わりなく水流の方向へと探る流し釣りが可能であることからポイントが新たな方向へと広がりまたそれによる釣果も期待することができる。【００３４】  このウキを用いることにより従来の「タナ調整の煩わしさ」が解消され、初心者等誰にでも手軽にウキ釣りが楽しめることとなる。また遠方深場のウキ釣り、底物のウキ釣りなど新たな釣法も開拓できるため、釣りの「楽しみ方」も増大する。
【図面の簡単な説明】
【００３５】
【図１】「請求項１」に示す本発明の代表的な実施例の断面図。
【図２】「請求項２」に示す通路をパイプ状に形成した場合の断面図。
【図３】「請求項３」に示す構成を簡略化し２室構成とした場合の断面図。
【図４】「請求項４」に示す固着防止の機能を付加する場合の部分断面図。
【発明を実施するための形態】
【００３６】  本考案の実施形態として「図１」「請求項１」を用い具体的な実施例を説明する、また実釣時におけるトラブル回避のための補助的な構造を「図４」「請求項４」にて説明する。
【００３７】  Ａ室１の下部５は中心部に向かい緩やかな窪みの形状とし、その中心部からＢ室２へ球体の通路６を設ける。
【００３８】  この構成はウキが水面にて直立したことを感知し球体４を待機状態とするＢ室２に誘導するための構造であり、多様に変化するウキの傾きによる誤動作を防止するために設けたものである。窪みの形状は垂直検出の感度に直結することからウキの形状、直径、等から決定することとなるが、水面の波立ち状況、風の有無等で使用環境に合わせた感度別に形状を決定するのが望ましい。
【００３９】  Ｂ室２の下部７は道糸の貫通穴１０側とは反対方向への上り勾配とし、その頂部にはＣ室３への通路８を設ける。
【００４０】  この構成は釣人の意図的な竿の操作によりウキが傾き、球体４が通路８を介しＣ室３へと落下させるよう設けたものである。勾配角度はウキの形状等から決定することとなるが、概ねウキが水平に近く傾いた時球体４が移動できる勾配とする。
【００４１】  Ｃ室３下部９の空間は円錐状の形状とし、その部位には道糸用の貫通孔１０−１１を設ける。
【００４２】  この構成による空間部分の形状はストッパーの機能を左右する重要な部分である。球体の直径及び材質、道糸の号数等から最適な円錐角をタイプ別に決定することとなるが、鋭角になるにつれストッパー機能は向上するが固着のリスクが高くなる。逆に鈍角に設定すれば先の機能とリスクは逆転することとなる。
【００４３】  Ｃ室３、Ｂ室２の上部はそれぞれの入口側通路口への傾きを持たせた形状とする。
【００４４】  この構成は、仕掛け投入の段階で竿に吊下げられたウキは逆向きとなることから球体４が初期セット位置であるＡ室１に自然に移動できる構造としている。従って各室から見た通路口は幅広く構えた構造とするのが望ましい。
【００４５】  次にトラブル回避のための補助的な構造について説明を行う。
【００４６】  道糸貫通孔１０とは反対側に切込み１７を設け、またスプリング状に可動する突起１８を設ける。
【００４７】  この構成は大物がヒットした場合等、常に道糸に張力が加わった状態で更にウキの逆向き荷重が加わった場合を想定し球体が固着するのを防止するために設けている。スプリング状に可動する突起の強度は道糸が強く張られた状態でウキが下向きとなるのを妨げない開放強度とするのが望ましい。一般的には巻上げの段階で若干の緩みが発生しウキはフリー状態へと戻るため、固着してしまうことは多くはない。
【符号の説明】
【００４８】  １・・Ａ室１（垂直検出部）
２・・Ｂ室２（傾き検出部）
３・・Ｃ室３（固定部）
４・・球体４
５・・Ａ室下部
６・・Ａ室−Ｂ室間の球体の通路
７・・Ｂ室下部
８・・Ｂ室−Ｃ室間の球体の通路
９・・Ｃ室下部
１０・・道糸の貫通孔入口
１１・・道糸の貫通孔出口
１２・・Ｂ室上部
１３・・Ｃ室上部
１４・・空気排気孔
１５ａ・道糸（通常時）
１５ｂ・道糸（開放時）
１６・・Ｃ室−Ａ室間の球体の通路
１７・・切込み
１８・・突起
【図１】
0005517120.tif 000002
【図２】
0005517120.tif 000003
【図３】
0005517120.tif 000004
【図４】
0005517120.tif 000005